(57)【要約】      （修正有）【課題】自覚検査を円滑に行うことができる検眼装置、方法およびプログラムを提供する。【解決手段】演算制御回路部１５は、ランドルト環に対する被検眼による視認結果の入力を操作本体部６を介して受け付けると、当該受け付けられた入力結果を示すグラフィックとして、ランドルト環の切れ目の方向を示すグラフィックを表示させるよう視標提示装置３を制御する。例えば、左上隅のランドルト環に対して、第２マウス６ｃの手動操作により入力された切れ目の方向である左側を示す矢印「←」が表示される。【選択図】図３
2019062979.tif 000002
【特許請求の範囲】
【請求項１】
被検眼に呈示する視標を表示する表示部を有する視標呈示装置と、前記被検眼の視機能を矯正するための光学素子を前記被検眼と前記視標呈示装置との間に選択的に配置可能な光学素子配置装置と、前記視標に対する前記被検眼による視認結果の入力を受け付ける入力部と、前記視標呈示装置及び前記光学素子配置装置のそれぞれの作動を制御する制御部とを備え、
前記制御部は、前記視標とともに、前記入力部が入力を受け付けた視標に対する被検眼による視認結果を示すグラフィックを表示させるよう前記視標呈示装置を制御する検眼装置。
【請求項２】
前記視標はランドルト環であり、
前記制御部は、前記ランドルト環に対する被検眼による視認結果を示すグラフィックとして、視認対象に選択されたランドルト環を示すグラフィックおよび前記視認対象に選択されたランドルト環の切れ目の方向を示すグラフィックを表示させるよう前記視標呈示装置を制御する請求項１に記載の検眼装置。
【請求項３】
前記視標は文字であり、
前記制御部は、前記文字に対する被検眼による視認結果を示すグラフィックとして、視認対象に選択された文字を示すグラフィックおよび前記視認対象に選択された文字が可読であったか否かを示すグラフィックを表示させるよう前記視標呈示装置を制御する請求項１に記載の検眼装置。
【請求項４】
前記視標は放射線型乱視表であり、
前記制御部は、前記放射線型乱視表に対する被検眼による視認結果を示すグラフィックとして、前記放射線型乱視表において他の線分よりも濃くまたは薄く視認された線分として指定された線分を示すグラフィックを表示させるよう前記視標呈示装置を制御する請求項１に記載の検眼装置。
【請求項５】
前記視標は時計型十字視標であり、
前記制御部は、前記時計型十字視標に対する被検眼による視認結果を示すグラフィックとして、固定眼で視認される目盛りに対して被検眼で視認される十字の傾きの量および方向を示すグラフィックを表示させるよう前記視標呈示装置を制御する請求項１に記載の検眼装置。
【請求項６】
前記被検眼に呈示する視標を表示する表示部を有する視標呈示装置と、前記被検眼の視機能を矯正するための光学素子を前記被検眼と前記視標呈示装置との間に選択的に配置可能な光学素子配置装置と、前記視標に対する前記被検眼による視認結果の入力を受け付ける入力部と、前記視標呈示装置及び前記光学素子配置装置のそれぞれの作動を制御する制御部とを備えた検眼装置において、
前記制御部は、前記視標とともに、前記入力部が入力を受け付けた視標に対する前記被検眼による視認結果を示すグラフィックを表示させるよう前記視標呈示装置を制御するステップを実行する検眼方法。
【請求項７】
請求項６に記載の検眼方法を前記検眼装置に実行させるための検眼プログラム。
【発明の詳細な説明】
【技術分野】
【０００１】
本発明は、被検眼の検査に用いられる検眼装置、方法およびプログラムに関する。
【背景技術】
【０００２】
従来、被検眼の眼屈折力等の眼機能は、自覚検査又は他覚検査により測定、或いは両検査を併用して測定される。一例として、特許文献１に記載される自覚検査は、ランドルト環等の各種視標に対する被検者の応答に基づき眼屈折力を測定するものである。このため、自覚検査は測定に時間を要し、また検者の習熟を必要とする。
【先行技術文献】
【特許文献】
【０００３】
【特許文献１】特開2009-045145号公報
【発明の概要】
【発明が解決しようとする課題】
【０００４】
自覚検査では、検査中に検者が被検者に口頭で指示や質問をし、被検者の口頭での回答を確認しながら検査を進める必要がある。
【０００５】
しかしながら、自覚検査は被検者が矯正装置を覗きこみながら行われるため、検者と被検者との間の意思疎通がうまくいかず、円滑な検査を行えないことがある。この場合、検査時間がかかったり、検査精度の低下を招いたりする。
【０００６】
本発明はこのような事情に鑑みてなされたもので、自覚検査を円滑に行うことができる検眼装置、方法およびプログラムを提供することを目的とする。
【課題を解決するための手段】
【０００７】
本発明の第１の態様の検眼装置は、被検眼に呈示する視標を表示する表示部を有する視標呈示装置と、被検眼の視機能を矯正するための光学素子を被検眼と視標呈示装置との間に選択的に配置可能な光学素子配置装置と、視標に対する被検眼による視認結果の入力を受け付ける入力部と、視標呈示装置及び光学素子配置装置のそれぞれの作動を制御する制御部とを備え、制御部は、視標とともに、入力部が入力を受け付けた視標に対する被検眼による視認結果を示すグラフィックを表示させるよう視標呈示装置を制御する。
【０００８】
本発明の第２の態様の検眼装置において、視標はランドルト環であり、制御部は、ランドルト環に対する被検眼による視認結果を示すグラフィックとして、視認対象に選択されたランドルト環を示すグラフィックおよび視認対象に選択されたランドルト環の切れ目の方向を示すグラフィックを表示させるよう視標呈示装置を制御する。
【０００９】
本発明の第３の態様の検眼装置において、視標は文字であり、制御部は、文字に対する被検眼による視認結果を示すグラフィックとして、視認対象に選択された文字を示すグラフィックおよび視認対象に選択された文字が可読であったか否かを示すグラフィックを表示させるよう視標呈示装置を制御する。
【００１０】
本発明の第４の態様の検眼装置において、視標は放射線型乱視表であり、制御部は、放射線型乱視表に対する被検眼による視認結果を示すグラフィックとして、放射線型乱視表において他の線分よりも濃くまたは薄く視認された線分として指定された線分を示すグラフィックを表示させるよう視標呈示装置を制御する。
【００１１】
本発明の第５の態様の検眼装置において、視標は時計型十字視標であり、制御部は、時計型十字視標に対する被検眼による視認結果を示すグラフィックとして、固定眼で視認される目盛りに対して被検眼で視認される十字の傾きの量および方向を示すグラフィックを表示させるよう視標呈示装置を制御する。
【００１２】
本発明の第６の態様の検眼方法は、被検眼に呈示する視標を表示する表示部を有する視標呈示装置と、被検眼の視機能を矯正するための光学素子を被検眼と視標呈示装置との間に選択的に配置可能な光学素子配置装置と、視標に対する被検眼による視認結果の入力を受け付ける入力部と、視標呈示装置及び光学素子配置装置のそれぞれの作動を制御する制御部とを備えた自覚検眼装置において、制御部は、視標とともに、入力部が入力を受け付けた視標に対する被検眼による視認結果を示すグラフィックを表示させるよう視標呈示装置を制御するステップを実行する。
【００１３】
本発明の第７の態様の検眼プログラムは、上記の検眼方法を検眼装置に実行させる。
【発明の効果】
【００１４】
本発明によると、視標とともに、入力部が入力を受け付けた視標に対する被検眼による視認結果を示すグラフィックを表示させる。このため、検者と被検者との間の意思疎通をうまく図ることができ、自覚検査を円滑に行うことができる。
【図面の簡単な説明】
【００１５】
【図１】図１は自覚式検眼装置１の外観を概略的に示す斜視図である。
【図２】図２はコントローラ装置５を概略的に示す正面図である。
【図３】図３は自覚式検眼装置１の回路構成を概略的に示すブロック図である。
【図４】図４は自覚検査の視標の一覧の表示例を示す説明図である。
【図５】図５は視標提示装置３の表示画面３ａにおいて視標（ランドルト環）とガイドが重畳表示された例を示す説明図である。
【図６】図６は視標提示装置３の表示画面３ａにおいて視標（ひらがな視標）とガイドが重畳表示された例を示す説明図である。
【図７】図７は視標提示装置３の表示画面３ａにおいて視標（放射線型乱視表）とガイドが重畳表示された例を示す説明図である。
【図８】図８は視標提示装置３の表示画面３ａにおいて視標（時計型十字表）とガイドが重畳表示された例を示す説明図である。
【図９】図９はセルフ式の自覚検査の処理の流れを示すフローチャートである。
【発明を実施するための形態】
【００１６】
本発明に係る自覚式検眼装置１は、図１に示すように、被検者２の被検眼に提示する各種の視機能検査用の視標チャート３ａ−１を表示する視標提示装置３と、被検眼の視機能を矯正するための矯正装置（検眼器、フォロプタ装置）４とコントローラ装置５とを備える。
【００１７】
この自覚式検眼装置１は、従来からよく知られているように、図示を略す眼鏡を作成する際にこの眼鏡のレンズの屈折度数を定めるために用いられている。
【００１８】
各種の視標チャート３ａ−１は、その視標提示装置３の表示画面３ａに表示される。その視標チャート３ａ−１は、コントローラ装置５の操作本体部６を操作することにより決定される。図示の視標チャート３ａ−１では、従来よく知られた文字「Ｃ」からなるランドルト環が表示されている。しかし、視標チャート３ａ−１はこれに限られず、乱視検査用の視標、クロスシリンダー検査用の視標、バランス検査用の指標、斜位検査用の指標（偏光十字、クロスリング、マドックス）、垂直または水平斜位測定（プリズム分離）用の指標、固視ずれテスト（固視点付き偏光十字）用の指標、Ｒ／Ｇ検査用の指標、スマートクロス検査用の指標などが表示されうる。検者１４は、被検眼の検査時、検眼テーブル７の側方に位置している。
【００１９】
矯正装置４は、左右方向に並べて配置された一対のフォロプタ１０を備える。各フォロプタ１０は、それぞれ検眼窓１１ａが形成されたハウジング１１を備えている。各ハウジング１１の内部には、従来と同様に、環状のレンズディスク（図示を略す）が回転可能に収納されている。
【００２０】
このレンズディスクには、互いに屈折力の異なる複数の光学素子であるレンズが周方向に沿って設けられている。その各レンズは、コントローラ装置５の制御によりレンズディスクの回転により各検眼窓１１ａに選択的にセットされる。
【００２１】
被検者２は、その一対のフォロプタ１０の検眼窓１１ａ、１１ａにセットされた光学素子を通じて視標チャート３ａ−１を視認するものである。
【００２２】
そのコントローラ装置５は、検眼テーブル７に載置されている。このコントローラ装置５は、例えば、図２に拡大して示すように、パーソナルコンピュータが用いられ、このコントローラ装置５は、図３に示すように、既述の操作本体部６とモニタ部１２と演算制御回路部１５と記憶部１６とから概略構成されている。操作本体部６は、例えば、操作盤６ａと第１マウス６ｂと第２マウス６ｃとから概略構成される。第１マウス６ｂの入力は、キーボードの入力で代替してもよい。検者１４は第１マウス６ｂ、被検者は第２マウス６ｃを操作する。操作本体部６の第１マウス６ｂと第２マウス６ｃは、他のデバイス（ポインティングデバイス、レバー、各種コントローラー等）でも良い。
【００２３】
さらに、検者１４を被検者２の傍に配置しない場合は、コントローラ装置５を遠隔操作できるよう、コントローラ装置５はネットワークで視標提示装置３と接続されていてもよい。
【００２４】
図３に示すように、この記憶部１６には、操作盤６ａの手動操作、第１マウス６ｂの手動操作により入力された、右眼、左眼、または両眼に対応する光学素子の光学特性のパラメータを光学特性データとして記憶させたうえ、表示画面３ａや表示画面１２ａに表示させることが可能である。
【００２５】
なお、右眼、左眼、または両眼のうちどれに対応する光学特性のパラメータを変更するかは、スクロールホイールのクリックなどにより切り替えることができる。例えば、デフォルトでは右眼、第１マウス６ｂの一回スクロールホイールのクリックで左眼、さらに一回スクロールホイールのクリックで両眼に対応する光学素子のパラメータ変更が可能となる。
【００２６】
演算制御回路部１５は、操作本体部６の操作指令に基づき、矯正装置４を制御する機能と、視標提示装置３とモニタ部１２とを制御する機能とを有する。
【００２７】
そのモニタ部１２の表示画面１２ａには、第１マウス６ｂや第２マウス６ｃなどの操作によって各種の画像、光学特性データ、操作情報等が表示可能である。
【００２８】
図４に示すように、モニタ部１２の表示画面１２ａの下部には、視標提示装置３の表示画面３ａに提示可能な視標チャート３ａ−１を示す複数の視標チャート画像の一覧を表示する一覧表示領域２０等が設けられている。
【００２９】
主表示領域１７は、検眼窓１１ａ、１１ａにセットされている光学素子としてのレンズの球面度数、乱視度数及び軸角度等の光学特性である屈折力に対応する光学特性データを表示する領域である。
【００３０】
その主表示領域１７には、ここでは、レンズの屈折力のうち球面度数、乱視度数、軸角度及び加入度数の各項目が表示され、被検者２の右眼と左眼とに対応して、現在、検眼窓１１ａ、１１ａにセットされている光学特性データの数値が各項目毎に表示されている。
【００３１】
演算制御回路部１５は、その一覧表示領域２０等が、検者１４などによって第１マウス６ｂのマウスポインタ移動やクリックなど操作がされると、この操作に対応する処理を実行し、この操作に対応する視標チャート３ａ−１が、視標提示装置３の表示画面３ａに表示される。
【００３２】
演算制御回路部１５は、第１マウス６ｂで一覧表示領域２０からランドルト環が選択されると、視標提示装置３の表示画面３ａにランドルト環を表示するよう制御する。
【００３３】
演算制御回路部１５は、第２マウス６ｃの移動に対応して移動するマウスポインタを表示画面３ａに表示するよう制御する。演算制御回路部１５は、被検者２からの、ランドルト環の選択操作を、第２マウス６ｃのマウスポインタの移動とクリックを介して受け付ける。なおこの処理は、後述の図９のＳ１に相当する。
【００３４】
演算制御回路部１５は、第２マウス６ｃを介して受け付けられたランドルト環の選択操作結果を示すグラフィックとして、第２マウス６ｃによる表示画面３ａ上のマウスポインタの移動と左クリックで選択された、表示画面３ａ上のランドルト環を示す囲み線のグラフィックを表示させるよう視標提示装置３を制御する。なおこの処理は、後述の図９のＳ２に相当する。
【００３５】
また、演算制御回路部１５は、選択されたランドルト環の囲み線のグラフィックとともに、ランドルト環の切れ目の方向の選択肢を示すグラフィックを表示画面３ａ上に表示させるよう視標提示装置３を制御する。図５（ａ）では、マウスポインタＭの移動により、上段中央のランドルト環が選択され、その周囲に囲み線と切れ目の方向の選択肢を示す８方向の矢印が表示されている。
【００３６】
演算制御回路部１５は、被検者２からの、選択されたランドルト環に対する被検眼による視認結果の入力操作を、第２マウス６ｃを介して受け付けると、当該受け付けられた入力結果を示すグラフィックとして、ランドルト環の切れ目の方向を示すグラフィックを表示画面３ａ上に表示させるよう視標提示装置３を制御する。
【００３７】
なお、ランドルト環の選択は、第２マウス６ｃのホイール回転により行われてもよい。例えば、下側にホイール回転するごとに、上から下へ（視力が上がる方へ）、あるいは左から右へ（全てのランドルト環を走査する方向へ）、順次ランドルト環が選択されてもよい。
【００３８】
図５（ｂ）では、左上隅のランドルト環に対して、第２マウス６ｃによるポインタのドラッグ操作により入力された、選択されたランドルト環の切れ目の方向である左側を示す矢印「←」が表示されている。なおこの処理は、後述の図９のＳ３に相当する。なお、上記８方向の切れ目の矢印の選択肢の中から１つの矢印が選ばれた場合、この選ばれた矢印を反転・正転表示することを所定回数（例えば３回）繰り返せば、被検者は自分が選んだ方向を確認でき、被検者に安心感を与えることができる。
【００３９】
演算制御回路部１５は、一覧表示領域２０から第１マウス６ｂによりひらがな視標が選択されると、視標提示装置３の表示画面３ａに選択されたひらがな視標を示すグラフィックを表示するよう制御する。図６では、左上隅の文字「い」が選択されたことを示す囲みが表示されている。
【００４０】
演算制御回路部１５は、ひらがな視標に対する被検眼による視認結果の入力を第２マウス６ｃを介して受け付ける。
【００４１】
演算制御回路部１５は、受け付けられた視認結果を示すグラフィックとして、ひらがな視標の可読または不可読を示すグラフィックを表示させるよう視標提示装置３を制御する。図示は省略するが、例えば、「可読」の場合は○、「不可読」の場合は×が表示される。
【００４２】
演算制御回路部１５は、一覧表示領域２０から線分放射型の乱視表が選択されると、視標提示装置３の表示画面３ａに当該乱視表を表示するよう制御する。
【００４３】
演算制御回路部１５は、当該乱視表に対する被検眼による視認結果として、太く見える線分の番号の選択入力を第２マウス６ｃを介して受け付けると、選択された線分の番号を示すグラフィックを表示させるよう視標提示装置３を制御する。
【００４４】
図７では、第２マウス６ｃで選択された「１」を囲み線で示すグラフィックが表示されている。この囲み線は、マウスポインタを任意の線上に置くと表示される。第２マウス６ｃの左クリックで線分の番号の選択を確定した際に、囲み線を点滅表示させるとより分かり易い。
【００４５】
演算制御回路部１５は、一覧表示領域２０から時計型十字視標が選択されると、視標提示装置３の表示画面３ａに当該時計型十字視標を表示する（図８参照）。この時計型十字視標は、固定眼には目盛り、被検眼には十字視標を表示するものである。つまり左右眼で別々の視標が表示される。
【００４６】
演算制御回路部１５は、時計型十字視標に対する被検眼による視認結果として、十字型視標の傾き方向および傾き量を示す目盛りの位置の指定を第１マウス６ｂを介して受け付けると、指定された目盛りを示すグラフィックを表示させるよう視標提示装置３を制御する。例えば、図８のように、マウスポインタのドラッグで指定された位置の目盛りを囲み線で示すとよい。また、第２マウス６ｃの左クリックで、目盛りの位置指定を確定した際に、目盛りを点滅表示させるとより分かり易い。
【００４７】
両眼視視標の場合は、優位眼の方、両方、または選択された側の眼の方に入力結果を示すグラフィックを表示してもよい。
【００４８】
以上の処理を要約すると、図９のようになる。図９は、演算制御回路部１５による処理の流れを示す。この処理を演算制御回路部１５（ＣＰＵなどのプロセッサ）で実行させるためのプログラムは、記憶部１６（ＲＯＭ）などの非一時的有形媒体に記録されている。なおこの処理は、被験者の任意の指示により繰り返すことができる。
【００４９】
Ｓ１では、演算制御回路部１５は、モニタ部１２の表示画面１２ａの一覧表示領域２０から、第１マウス６ｂを介して所望の視標の選択操作を受け付ける。演算制御回路部１５は、第１マウス６ｂを介して選択された視標チャート３ａ−１を、視標提示装置３の表示画面３ａに表示させる。
【００５０】
Ｓ２では、演算制御回路部１５は、視標チャート３ａ−１の中から、被検眼による視認対象となる視標の選択を第２マウス６ｃを介して受け付ける。演算制御回路部１５は、選択された視標を示すグラフィックを表示画面３ａに表示する。合わせて、演算制御回路部１５は、視認結果に相当する選択肢を表示画面３ａに表示してもよい。
【００５１】
Ｓ３では、演算制御回路部１５は、第２マウス６ｃを介して入力された、被検眼による視標の視認結果を示す回答を認識する。演算制御回路部１５は、認識された回答を示すグラフィックを、視標提示装置３の表示画面３ａに表示させる。なおこの後、検者１４は、第１マウス６ｂを操作して、検眼窓１１ａ、１１ａにセットされる様々な光学特性データのパラメータの更新の操作を行ってもよい。
【００５２】
以上のように、視標提示装置３の表示画面３ａには、視標チャート３ａ−１とともに、視標チャート３ａ−１の視認結果を示すグラフィックが表示される。検者１４は、視標チャート３ａ−１の視認結果を示すグラフィックを参照し、視標チャート３ａ−１の視認結果を分かり易く確認することができる。これにより、自覚検査において被検者２の回答を検者１４に正確に伝達できるので、検者と被検者との間の意思疎通をうまく図ることができ、自覚検査を円滑に行うことができる。
【００５３】
なお、第２マウス６ｃの操作結果を記憶部１６に記憶しておき、当該記憶された操作結果に対応するグラフィックを視標提示装置３の表示画面３ａに表示してもよい。こうすると、検査内容の事後検証や、スタッフの自覚検査トレーニングなどに役立つ。
【符号の説明】
【００５４】
１…自覚式検眼装置、３…視標提示装置、６…操作本体部、１５…演算制御回路部
【図１】
2019062979.tif 000003
【図２】
2019062979.tif 000004
【図３】
2019062979.tif 000005
【図４】
2019062979.tif 000006
【図５】
2019062979.tif 000007
【図６】
2019062979.tif 000008
【図７】
2019062979.tif 000009
【図８】
2019062979.tif 000010
【図９】
2019062979.tif 000011